(57)【要約】      （修正有）【課題】いずれの形態の接続端子にも対応可能にすることで、差し間違えを回避し、共通化することで手術中のリスクを低減させ、より安全性を向上させる電気手術装置におけるピンセット用受金具を提供する。【解決手段】先端側に板状の保持部４をそれぞれに有する一対の挟持片３を、保持部４が互いに対向するとともに、保持部４の先端側が互いに離反する方向に弾性変形可能に重ね合わせて構成した本体部２と、対向する保持部４のそれぞれにおける幅方向に見た中央部分を、前後方向に沿って反対向側に向けて円弧状に変形させることで形成した挿入孔７とを具備し、挟持片３のそれぞれには反対向側に向けて湾曲した弾性部８を形成し、保持部４は、少なくとも一方側に他方の保持部４側に向けて抜け防止用突起部９を突設するとともに、先端側のそれぞれを反対向側に向けて変形させて挿入用ガイド１０を形成する。【選択図】図１
0003191246.tif 000002
【実用新案登録請求の範囲】
【請求項１】
先端側に板状の保持部（４）をそれぞれに有する一対の挟持片（３）を、前記保持部（４）が互いに対向するとともに、前記保持部（４）の先端側が互いに離反する方向に弾性変形可能に重ね合わせて構成した本体部（２）と、
前記対向する保持部（４）のそれぞれにおける幅方向に見た中央部分を、前後方向に沿って反対向側に向けて円弧状に変形させることで形成した挿入孔（７）と、を具備した、ことを特徴とする電気手術装置におけるピンセット用受金具。
【請求項２】
前記本体部（２）は、長板状の素材を長手方向に向いた中央部分で折り曲げることで構成したことを特徴とする請求項１に記載の電気手術装置におけるピンセット用受金具。
【請求項３】
前記対向する挟持片（３）のそれぞれに、反対向側に向けて湾曲した弾性部（８）を形成したことを特徴とする請求項１又は請求項２に記載の電気手術装置におけるピンセット用受金具。
【請求項４】
少なくとも前記保持部（４）の一方は、他方の保持部（４）側に向けて突設した抜け防止用突起部（９）を備えたことを特徴とする請求項１乃至請求項３のいずれかに記載の電気手術装置におけるピンセット用受金具。
【請求項５】
前記対向する保持部（４）はそれぞれ、先端側を反対向側に向けて変形させて挿入用ガイド（１０）を形成したことを特徴とする請求項１乃至請求項４のいずれかに記載の電気手術装置におけるピンセット用受金具。
【考案の詳細な説明】
【技術分野】
【０００１】
本考案は、電気手術装置におけるバイポーラ電極の端子を装置本体に接続するための電気手術装置におけるピンセット用受金具に係り、より詳しくは、丸棒形端子及び平板形端子のいずれも連結可能とした電気手術装置におけるピンセット用受金具に関する。
【背景技術】
【０００２】
周知のように、外科系手術の際には、高周波電流の出力を利用することで、患部における組織や膜等の切開、切除あるいは凝固を行う電気手術装置が用いられることが多い。そして、この電気手術装置は一般的に、電気メスと称されており、高周波電流を生成するための電気メスの本体と、電気メスの本体で生成された高周波電流の供給を受けて生体の組織等の切開、切除、凝固を行うための電極を具備している。
【０００３】
ここで、電気メスを構成する電極には、主に切開等を行うための単極のモノポーラ型電極と、主に凝固を行うための双極のバイポーラ電極があり、バイポーラ電極は一般的にピンセットと称される。
【０００４】
そしてこれらの電極はいずれも、使用に際しては、電源ケーブルを介して電気メスの本体に接続されるが、ピンセットの場合は、電源ケーブルのコネクタに接続される接続端子が、丸棒形と平板形の２種類となっている。そのために、ピンセット用の電源ケーブルのコネクタも、丸棒形端子用の受金具を具備したものと、平板形端子用の受金具を具備したものの２種類が存在している。
【０００５】
ここで、図６及び図７は従来の受金具を説明するための図であり、図６は丸棒形端子を接続するための受金具であり、（ａ）は側面構造を示し、（ｂ）は正面形状を示している。また図７は平板形端子を接続するための受金具であり、（ａ）は側面構造を示し、（ｂ）は正面形状を示している。
【０００６】
そして、図６において、丸棒形端子用の受金具５１では、端子を挿入可能な丸孔状の挿入孔５２を有した円筒状としており、挿入孔５２の周囲４か所には切り込み５３が形成され、これにより、丸棒形端子を挿入孔５２に挿入することで、切り込み５３を境にして挿入孔５２の径が開き、丸棒形端子を挿入固定することが可能である。
【０００７】
一方、図７における平板形端子用の受金具６１では、端子を挟持可能な一対の挟持片６２から構成されており、この一対の挟持片６２は、先端部分が互いに離反方向へ弾性変形可能としている。そしてこれにより、一対の挟持片６２を押し開くようにして平板形端子を一対の挟持片間に挿入していくことで、平板形端子を挿入固定することが可能となる。
【先行技術文献】
【特許文献】
【０００８】
【特許文献１】特開平８−１５４９４５号公報
【考案の概要】
【考案が解決しようとする課題】
【０００９】
このように、従来から、電気手術装置におけるピンセットの接続端子は２種類存在していたために、このピンセットの端子を受けるための受金具も２種類が必要であり、従って、ピンセットを電気メスに接続するための電源ケーブルも、丸棒形端子用のコネクタを有した電源ケーブルと、平板形端子用のコネクタを有した電源ケーブルの２種類が必要であった。
【００１０】
そのために、従来は、ピンセット用の電源ケーブルの保管にスペースを必要とするだけでなく、手術の準備に際して、使用するピンセットに対応しない電源ケーブルを用意してしまう誤りも否定できず、差し間違えによる手術中のリスクも存在していた。
【００１１】
そこで、本考案は、いずれの形態の接続端子にも対応可能にすることで、差し間違えを回避し、共通化することで手術中のリスクを低減させ、より安全性を向上させる電気手術装置におけるピンセット用受金具を提供することを課題としている。
【課題を解決するための手段】
【００１２】
本考案の電気手術装置におけるピンセット用受金具は、
先端側に板状の保持部をそれぞれに有する一対の挟持片を、前記保持部が互いに対向するとともに、前記保持部の先端側が互いに離反する方向に弾性変形可能に重ね合わせて構成した本体部と、
前記対向する保持部のそれぞれに、幅方向に見た中央部分を、前後方向に沿って、反対向側に向けて円弧状に変形させることで形成した挿入孔と、を具備した、ことを特徴としている。
【考案の効果】
【００１３】
本考案の電気手術装置におけるピンセット用受金具は、先端側に板状の保持部をそれぞれに有する一対の挟持片を、保持部が互いに対向するとともに、保持部の先端側が互いに離反する方向に弾性変形可能にして重ね合わせて構成した本体部を有している。そのために、平板形端子を接続するときは、２枚の保持部間に平板形端子を押し込むことで、挟持片間に平板形端子を挿入固定して接続することができる。
【００１４】
また、  本考案の電気手術装置におけるピンセット用受金具は、互いに対向する２枚の保持部のそれぞれについて、保持部の幅方向に見た中央部分を、前後方向に沿って、反対向側に向けて円弧状に変形させることで挿入孔を形成しているために、丸棒形端子を接続するときは、挿入孔に丸棒形端子を押し込むことで、挟持片間に丸棒形端子を挿入固定して接続することができる。
【００１５】
従って、本考案の電気手術装置におけるピンセット用受金具では、共通化することで丸棒形端子及び平板形端子のいずれの形態の接続端子も接続することができるようにしたために、この受金具を用いたピンセット用電源ケーブルでは、差し間違えを回避し、手術中のリスクを低減させ、より安全性を向上させることが可能である。
【図面の簡単な説明】
【００１６】
【図１】本考案の電気手術装置におけるピンセット用受金具の実施例の構造を説明するための図であり、（ａ）は側面形状を示しており、（ｂ）は正面形状を示しており、（ｃ）は平面形状を示している。
【図２】本考案の電気手術装置におけるピンセット用受金具の実施例の作用を説明するための図であり、平板形端子を挿入した状態を示した図である。
【図３】本考案の電気手術装置におけるピンセット用受金具の実施例の作用を説明するための図であり、丸棒形端子を挿入した状態を示した図である。
【図４】本考案の電気手術装置におけるピンセット用受金具の実施例の使用方法を説明するための図であり、電気手術装置全体の概念図である。
【図５】本考案の電気手術装置におけるピンセット用受金具の実施例を具備したコネクタを示す図である。
【図６】従来のピンセット用受金具を説明するための図であり、丸棒形端子用の受金具を示した図である。
【図７】従来のピンセット用受金具を説明するための図であり、平板形端子用の受金具を示した図である。
【考案を実施するための形態】
【００１７】
本考案の電気手術装置におけるピンセット用受金具では、一対の挟持片により構成された本体部を有しており、一対の挟持片はそれぞれ、先端側に板状の保持部を有しており、保持部が互いに対向するとともに、保持部の先端側が互いに離反する方向に弾性変形可能にして、重ね合わされており、保持部間に平板形端子を挿入することとしている。
【００１８】
そして、対向する保持部のそれぞれは、保持部の幅方向に見た中央部分を、前後方向に沿って、反対向側に向けて円弧状に変形させており、これにより、丸棒形端子を挿入するための挿入孔を形成している。
【００１９】
ここで、本体部は、長板状の素材を長手方向に向いた中央部分で折り曲げることで構成するとよく、これにより、先端側が互いに離反する方向に弾性変形可能な形態とした一対の挟持片を構成することが容易となる、
【００２０】
また、対向する挟持片のそれぞれに、対向する挟持片の反対側に向けて湾曲した弾性部を形成するとよく、これにより、先端側を互いに離反する方向に弾性変形可能とした一対の挟持片を得ることが容易である。
【００２１】
更に、少なくとも保持部の一方に、他方の保持部側に向けて、抜け防止用突起部を突設するとよく、これにより、端子を保持部間に挿入した際に、この端子が抜け出てしまうことを防止することが可能である。
【００２２】
更にまた、対向する保持部のそれぞれにおける先端側を、反対向する側に向けて変形させて挿入用ガイドを形成するとよく、これにより、端子の挿入を容易にすることが可能となる。
【実施例１】
【００２３】
本考案の電気手術装置におけるピンセット用受金具（以下単に「受金具」と言う。）の実施例について図面を参照して説明すると、図４は本実施例の受金具を用いた電源ケーブルを含む電気メス全体の概念図である。そして、図において２２が、バイポーラ型電極としてのピンセットであり、このピンセット２２は、先端に一対の電極部２３を具備しており、後端には一対の接続端子２４が具備され、前記電極２３と接続端子２４のそれぞれは、ピンセット２２内で接続されている。
【００２４】
また、図において２１は電気メスの本体であり、２５は、前記ピンセット２２の電極２３に高周波電源を供給するための電源ケーブルである。そして、前記電源ケーブル２５は、電源コード２６を有しており、この電源コード２６は一端に接続プラグ２７を有し、この接続プラグ２７は、前記電気メス本体２１の出力ソケットに接続される。また、前記電源コード２６の他端にはコネクタ２８が備えられており、このコネクタ２８内には、前記接続端子２４が挿入固定されるとともに接続される受金具が収容されている。
【００２５】
ここで、図５は、前記コネクタ２８の正面を示す図であり、図において１が本実施例の受金具である。即ち、前記コネクタ２８は、樹脂等の絶縁性の素材で構成されており、内部には、本実施例の受金具１を１対個、互いに絶縁状態で収容しており、それぞれの受金具１には、前記電源コード２６が接続されている。そしてこれにより、電気メスの本体２１で生成された高周波電源は、プラグ２７、電源コード２６、受金具１、接続端子２４を介して電極２３に供給される。
【００２６】
次に、本実施例の受金具１の構造を説明すると、図１は、本実施例の受金具１構造を説明するための図であり、（ａ）は本実施例の受金具１の側面側を示しており、（ｂ）は本実施例の受金具１の正面側を示しており、（ｃ）は本実施例の受金具１の平面側を示している。
【００２７】
そして、図において２は本体部である。即ち、本実施例の受金具１は、本体部２を有しており、この本体部２は、長板状の金属製素材を長手方向に見た中央部分で折り曲げることで構成されており、一対の挟持片から構成されているとともに、挟持片の後端部分近傍には、電源コードが接続される接続部１１が形成されている。
【００２８】
ここで、前記一対の挟持片について説明すると、図において３が挟持片であり、本実施例において前記一対の挟持片３は、前述したように、長板状の金属製素材を長手方向に見た中央部分で折り曲げることで形成しており、従って、平面部分が対向する配置で、互いに重ね合わせた形態としている。
【００２９】
また、挟持片３の先端側は、それぞれ、保持部４としており、前記挟持片３は、前記保持部４が互いに対向するとともに、前記保持部４の先端側が互いに離反する方向に弾性変形可能にして、重ね合わされており、対向する保持部４によって端子を保持することとしている。
【００３０】
更に、前記一対の挟持片３はそれぞれ、長手方向に見た中央部分を、互いに、対向する挟持片３と反対側に向けて変形させて弾性部８を形成している。そしてこれによって、先端側の弾性変形を強固にしている。なお、本実施例において前記弾性部８は、挟持片３を角状に変形させて形成しているが、必ずしも角状の弾性部８にする必要は無く、挟持片３を円弧状に湾曲させて弾性部を形成してもよい。
【００３１】
次に、前記保持部４について説明すると、本実施例においては、前記挟持片３のそれぞれにおける前記弾性部７よりも先端側を保持部４としており、この保持部４には、丸棒形端子を受け入れるための挿入孔を有している。即ち、本実施例において前記保持部４はそれぞれ、幅方向に見た中央部分を、前後方向に沿って、対向する保持部４と反対の方向、即ち反対向側に向けて円弧状に変形させている。そしてそれにより、反保持部側に膨張した凸条部６を形成するとともに、この凸条部６の内側部分を挿入溝５としており、保持部４のそれぞれの挿入溝５によって、保持部４間に、丸棒形端子を受け入れるための挿入孔７を備えている。
【００３２】
次に、図において９は抜け防止用突起である。即ち、本実施例の受金具１では、前記保持部４の一方側の内側の一部、本実施例においては、保持部４の一方側における長手方向に見た中央部分近傍を、保持部４の幅方向全域に亘って、他方の保持部４側に向けて僅かに円弧状に湾曲させており、この湾曲させた部分を抜け防止用突起９としている。従って、保持部４間にピンセット１２の接続端子１４を挿入した際には、前記抜け防止用突起９の存在により、接続端子１４が圧迫され、接続端子１４に何らかの衝撃があった場合でも抜け出てしまうことを有効に防止することが可能である。なお、抜け防止用突起９は必ずしも保持部４の一方にのみ形成する必要は無く、保持部４の両方に形成しても良い。
【００３３】
また、図において１０は挿入用ガイドである。即ち、本実施例の受金具１では、前記保持部４の先端を、対向する保持部４とは反対側に所定角度で変形することで、保持部４の先端に挿入用ガイド１０を形成している。従って、本実施例の受金具１では、保持部４間にピンセット２２の接続端子２４を挿入する際に、容易に挿入することが可能である。なお、本実施例において前記挿入用ガイド１０は、約４５度の角度で、対向する保持部４の反対側に変形させている。但し、変形角度は限定されず、必ずしも４５度の角度にする必要は無い。
【００３４】
次に、このように構成される本実施例の受金具１の作用について説明すると、図２及び図３は、本実施例の受金具１にピンセット２２の接続端子を接続している状態を示した図であり、図２は平板形端子を接続している状態を示し、図３は丸棒形端子を接続している状態を示している。そして、図において２４ａが平板形端子、２４ｂが丸棒形端子であり、図において２９は、端子が固定されている端子ホルダーの一部を示している。
【００３５】
即ち、平板形端子２４ａを接続する場合には、平板形端子２４ａの面と保持部４の面が平行になる配置で、一対の保持部４間に平板形端子２４ａを挿入していき、この挿入を、平板形端子２４ａの先端が前記抜け防止用突起９を越えて弾性部８の位置に進むまで継続する。そうすると、平板形端子２４ａは、一対の保持部４を押し開くようにして保持部４間に挿入されていき、それとともに、抜け防止用突起９の存在により、受金具１内に固定され、これにより接続が完了する。
【００３６】
一方、丸棒形端子２４ｂを接続する場合には、一対の保持部４間に形成されている挿入孔７内に丸棒形端子２４ｂを挿入するとともに、この挿入を、丸棒形端子２４ｂの先端が前記抜け防止用突起９を越えて弾性部８の位置に進むまで継続する。そうすると、丸棒形端子２４ｂは、一対の保持部４を押し開きつつ、挿入孔７内に挿入されて保持部４間を進入していき、それとともに、抜け防止用突起９の存在により、受金具１内に固定され、これにより接続が完了する。
【００３７】
このように、本実施例の受金具１では、従来は丸棒形端子用と平板形端子用の２種類存在した受金具を共通化することで、丸棒形端子と平板形端子のいずれをも接続可能としたために、これを電源ケーブルのコネクタに具備した場合には、複数種類の電源ケーブルを備える必要が無く、１種類の電源ケーブルのみで対応可能である。
【００３８】
従って、本実施例の受金具１を用いることで、差し間違えを回避し、手術中のリスクを低減させて、より安全性を向上させることが可能である。
【産業上の利用可能性】
【００３９】
本考案は、電気手術装置における電極の端子を連結するに際して、丸棒形端子及び平板形端子のいずれも接続可能としているために、丸棒形端子あるいは平板形端子を備えた電極の接続用受金具の全般に適用可能である。
【符号の説明】
【００４０】
１    受金具
２    本体部
３    挟持片
４    保持部
５    挿入溝
６    凸条部
７    挿入孔
８    弾性部
９    抜け防止用突起
１０    挿入用ガイド
１１    接続部
２１    電気メスの本体
２２    ピンセット
２３    電極部
２４    接続端子
２５    電源ケーブル
２６    電源コード
２７    プラグ
２８    コネクタ
２９    端子ホルダー
【図１】
0003191246.tif 000003
【図２】
0003191246.tif 000004
【図３】
0003191246.tif 000005
【図４】
0003191246.tif 000006
【図５】
0003191246.tif 000007
【図６】
0003191246.tif 000008
【図７】
0003191246.tif 000009